(57)【特許請求の範囲】
【請求項１】
携帯用情報機器であって、
第１筐体と、
前記第１筐体に対して相対的に回動可能に連結された第２筐体と、
前記第１筐体と前記第２筐体とに亘って設けられ、前記第１筐体と前記第２筐体が相対的に回動することに応じて折り曲げられる折曲領域を有するディスプレイ部と、
を備え、
前記ディスプレイ部は、前記第１筐体に対しては前記第１筐体と前記第２筐体の並び方向に沿ってスライド可能に支持され、前記第２筐体に対しては固定されており、
前記第１筐体は、前記ディスプレイ部がスライドした場合に該ディスプレイ部の第１縁部によって開閉される機能部を有し、
少なくとも前記第１筐体と前記第２筐体との間をそれぞれが対面する位置まで回動させて前記折曲領域が折り曲げられた収納形態とした場合に、前記第１縁部が前記機能部を閉じることで、該機能部にアクセス不能な状態となり、
少なくとも前記第１筐体と前記第２筐体との間をそれぞれが略同一平面上にある使用形態とした場合には、前記ディスプレイ部が前記収納形態での位置から前記第２筐体側へとスライドした位置になって前記第１縁部が前記機能部を開くことで、該機能部にアクセス可能な状態となる
ことを特徴とする携帯用情報機器。
【請求項２】
請求項１に記載の携帯用情報機器であって、
前記機能部は、前記ディスプレイ部に対するタッチ操作に利用可能なペン型入力装置を収納可能な溝部を有し、
前記溝部は、前記収納形態では前記第１縁部によって前記溝部が閉じられ、前記使用形態では前記溝部が開かれて前記ペン型入力装置の出し入れが可能となることを特徴とする携帯用情報機器。
【請求項３】
請求項１又は２に記載の携帯用情報機器であって、
前記機能部は、接続ポート、カメラ及び操作ボタンのうちのいずれか１つ又は複数を有することを特徴とする携帯用情報機器。
【請求項４】
請求項１〜３のいずれか１項に記載の携帯用情報機器であって、
前記第１筐体は、前記ディスプレイ部を前記並び方向に沿ってスライド可能に支持するスライド支持部を有し、
前記スライド支持部は、前記ディスプレイ部のスライド方向に沿った第２縁部を支持していることを特徴とする携帯用情報機器。
【請求項５】
請求項４に記載の携帯用情報機器であって、
前記ディスプレイ部は、前記第２縁部から突出した支持片と、該支持片に設けられ、前記スライド方向に延びた長孔と、を有し、
前記スライド支持部は、前記長孔に対して相対移動可能に挿入されたガイド部材を有することを特徴とする携帯用情報機器。
【請求項６】
請求項４又は５に記載の携帯用情報機器であって、
前記スライド支持部は、前記第１筐体の側面で開口し、前記ディスプレイ部の前記第２縁部が相対移動可能に挿入されるガイド溝を有することを特徴とする携帯用情報機器。
【請求項７】
請求項１〜６のいずれか１項に記載の携帯用情報機器であって、
前記ディスプレイ部は、
ディスプレイと、
前記第１筐体に固定され、前記ディスプレイの前記第１筐体側の領域の裏面を支持する第１支持プレートと、
前記第２筐体に固定されて前記第１支持プレートと隣接して配置され、前記ディスプレイの前記第２筐体側の領域の裏面を支持する第２支持プレートと、
を有し、
前記ディスプレイ部は、前記第１支持プレートが前記第１筐体に対してスライド可能に支持され、前記第２支持プレートが前記第２筐体に対して固定されていることを特徴とする携帯用情報機器。
【発明の詳細な説明】
【技術分野】
【０００１】
本発明は、第１筐体と第２筐体とを回動可能に連結した携帯用情報機器に関する。
【背景技術】
【０００２】
タッチパネル式の液晶ディスプレイを有し、物理的なキーボードを持たないタブレット型ＰＣやスマートフォン等の携帯用情報機器がある。この種の携帯用情報機器のディスプレイは、使用時には大きい方が望ましい反面、携帯時には小型化されることが望まれている。そこで、本出願人は、有機ＥＬ（Electro  Luminescence）等のフレキシブルディスプレイを用いることで、筐体だけでなくディスプレイまでも折り畳み可能に構成した携帯用情報機器を提案している（例えば、特許文献１参照）。
【先行技術文献】
【特許文献】
【０００３】
【特許文献１】特許第６５０７１８３号公報
【発明の概要】
【発明が解決しようとする課題】
【０００４】
上記のような携帯用情報機器は、筐体間を回動可能に連結するヒンジ装置だけでなく、折り畳み時に生じるディスプレイの周長差を吸収できる構造が必要となる場合がある。このため、一般的なタブレット型ＰＣ等と比較して、この種の携帯用情報機器は、筐体に搭載しなければならない装置や構造が多い。その結果、この種の携帯用情報機器では、例えばペン型入力装置の収納スペースや各種接続ポート等の設置スペースの確保、つまりこれら機能装備（機能部）の設置スペースの確保が一般的な携帯用情報機器に比べて難しい。
【０００５】
本発明は、上記従来技術の課題を考慮してなされたものであり、機能部の設置スペースを確保することができる携帯用情報機器を提供することを目的とする。
【課題を解決するための手段】
【０００６】
本発明の第１態様に係る携帯用情報機器は、携帯用情報機器であって、第１筐体と、前記第１筐体に対して相対的に回動可能に連結された第２筐体と、前記第１筐体と前記第２筐体とに亘って設けられ、前記第１筐体と前記第２筐体が相対的に回動することに応じて折り曲げられる折曲領域を有するディスプレイ部と、を備え、前記ディスプレイ部は、前記第１筐体に対しては前記第１筐体と前記第２筐体の並び方向に沿ってスライド可能に支持され、前記第２筐体に対しては固定されており、前記第１筐体は、前記ディスプレイ部がスライドした場合に該ディスプレイ部の第１縁部によって開閉される機能部を有し、少なくとも前記第１筐体と前記第２筐体との間をそれぞれが対面する位置まで回動させて前記折曲領域が折り曲げられた収納形態とした場合に、前記第１縁部が前記機能部を閉じることで、該機能部にアクセス不能な状態となり、少なくとも前記第１筐体と前記第２筐体との間をそれぞれが略同一平面上にある使用形態とした場合には、前記ディスプレイ部が前記収納形態での位置から前記第２筐体側へとスライドした位置になって前記第１縁部が前記機能部を開くことで、該機能部にアクセス可能な状態となる。
【０００７】
このような構成によれば、その折曲時の周長差を吸収するために、ディスプレイ部を第１筐体に対してスライド可能に支持している。このため、ディスプレイ部の第１筐体側の第１縁部は、筐体間の回動時にスライドするため、その部分がデッドスペースとなる。そこで、当該携帯用情報機器は、このデッドスペースを利用して機能部を設置することで、その設置スペースを確保しつつ、必要な際にはこれらの使用が可能となる。
【０００８】
前記機能部は、前記ディスプレイ部に対するタッチ操作に利用可能なペン型入力装置を収納可能な溝部を有し、前記溝部は、前記収納形態では前記第１縁部によって前記溝部が閉じられ、前記使用形態では前記溝部が開かれて前記ペン型入力装置の出し入れが可能となる構成としてもよい。
【０００９】
前記機能部は、接続ポート、カメラ及び操作ボタンのうちのいずれか１つ又は複数を有する構成としてもよい。
【００１０】
前記第１筐体は、前記ディスプレイ部を前記並び方向に沿ってスライド可能に支持するスライド支持部を有し、前記スライド支持部は、前記ディスプレイ部のスライド方向に沿った第２縁部を支持している構成としてもよい。
【００１１】
前記ディスプレイ部は、前記第２縁部から突出した支持片と、該支持片に設けられ、前記スライド方向に延びた長孔と、を有し、前記スライド支持部は、前記長孔に対して相対移動可能に挿入されたガイド部材を有する構成としてもよい。
【００１２】
前記スライド支持部は、前記第１筐体の側面で開口し、前記ディスプレイ部の前記第２縁部が相対移動可能に挿入されるガイド溝を有する構成としてもよい。
【００１３】
前記ディスプレイ部は、ディスプレイと、前記第１筐体に固定され、前記ディスプレイの前記第１筐体側の領域の裏面を支持する第１支持プレートと、前記第２筐体に固定されて前記第１支持プレートと隣接して配置され、前記ディスプレイの前記第２筐体側の領域の裏面を支持する第２支持プレートと、を有し、前記ディスプレイ部は、前記第１支持プレートが前記第１筐体に対してスライド可能に支持され、前記第２支持プレートが前記第２筐体に対して固定された構成としてもよい。
【発明の効果】
【００１４】
本発明の上記態様によれば、機能部の設置スペースを確保することができる。
【図面の簡単な説明】
【００１５】
【図１】図１は、一実施形態に係る携帯用情報機器を閉じて収納形態とした状態での斜視図である。
【図２】図２は、携帯用情報機器を開いて使用形態とした状態での内部構造を模式的に示す平面図である。
【図３Ａ】図３Ａは、携帯用情報機器を収納形態として状態を模式的に示す側面断面図である。
【図３Ｂ】図３Ｂは、図３Ａに示す状態から筐体間を４５度姿勢まで開いた状態を模式的に示す側面断面図である。
【図３Ｃ】図３Ｃは、図３Ｂに示す状態から筐体間を９０度姿勢まで開いた状態を模式的に示す側面断面図である。
【図３Ｄ】図３Ｄは、図３Ｃに示す状態から筐体間を１３５度姿勢まで開いた状態を模式的に示す側面断面図である。
【図３Ｅ】図３Ｅは、図３Ｄに示す状態から筐体間をさらに開いて使用形態として状態を模式的に示す側面断面図である。
【図４Ａ】図４Ａは、図２中のＩＶＡ−ＩＶＡ線に沿う模式的な断面図である。
【図４Ｂ】図４Ｂは、図４Ａに示す部分の平面図である。
【図５Ａ】図５Ａは、変形例に係るスライド支持部を備えた構成での要部拡大断面図である。
【図５Ｂ】図５Ｂは、図５Ａに示す部分を上方から見た斜視図である。
【図６】図６は、変形例に係る機能部を備えた構成での使用形態における内部構造を模式的に示す要部拡大平面図である。
【発明を実施するための形態】
【００１６】
以下、本発明に係る携帯用情報機器について好適な実施形態を挙げ、添付の図面を参照しながら詳細に説明する。
【００１７】
図１は、一実施形態に係る携帯用情報機器１０を閉じて収納形態とした状態での斜視図である。図２は、携帯用情報機器１０を開いて使用形態とした状態での内部構造を模式的に示す平面図である。
【００１８】
図１及び図２に示すように、携帯用情報機器１０は、第１筐体１２Ａと、第２筐体１２Ｂと、ヒンジ装置１４と、ディスプレイ部１６とを備える。本実施形態の携帯用情報機器１０は、本のように折り畳み可能なタブレット型ＰＣである。携帯用情報機器１０は、携帯電話、スマートフォン、電子手帳又は携帯用ゲーム機等であってもよい。
【００１９】
各筐体１２Ａ，１２Ｂは、矩形の扁平な箱体である。筐体１２Ａ，１２Ｂは、互いに隣接する縁部以外の３辺に側板１７が起立形成されている。ディスプレイ部１６は、使用形態時に略１枚板状に構成される筐体１２Ａ，１２Ｂの上面開口を塞ぐように配置されている。各筐体１２Ａ，１２Ｂは、例えばステンレスやマグネシウム、アルミニウム等の金属板、或いは炭素繊維等の強化繊維を含む繊維強化樹脂板等で構成される。
【００２０】
以下、図１及び図２に示すように、携帯用情報機器１０について、筐体１２Ａ，１２Ｂの並び方向をＸ方向、Ｘ方向と直交する方向をＹ方向と呼び、さらに各筐体１２Ａ，１２Ｂの厚み方向を上下方向と呼んで説明する。
【００２１】
筐体１２Ａ，１２Ｂ間は、互いの隣接縁部である一縁部１２Ａａ，１２ＢａのＹ方向両端部に設けられた一対のヒンジ装置１４，１４を介して連結されている。ヒンジ装置１４は、一縁部１２Ａａ，１２Ｂａ同士を相対的に回動可能に連結しており、これにより第１筐体１２Ａと第２筐体１２Ｂとが折り畳まれる。筐体１２Ａ，１２Ｂ間は、図１に示す収納形態と図２に示す使用形態との間で、所望の角度姿勢に設定することができる（図３Ａ〜図３Ｅ参照）。図２中に１点鎖線で示す線Ｃは、筐体１２Ａ，１２Ｂの折り畳み動作の中心となる折曲中心Ｃを示している。
【００２２】
図２に示すように、ヒンジ装置１４は、例えば第１ブラケット１４ａと、第２ブラケット１４ｂと、第１アーム１４ｃと、第２アーム１４ｄとを有する。各ブラケット１４ａ，１４ｂは、樹脂や金属等で形成された薄型ブロック状の部品である。第１ブラケット１４ａは、第１筐体１２Ａにねじ止め固定されている。第２ブラケット１４ｂは、第２筐体１２Ｂにねじ止め固定されている。各アーム１４ｃ，１４ｄは、一端部が第１ブラケット１４ａに回動可能に連結され、他端部が第２ブラケット１４ｂに回動可能に連結され、互い違いに配置されている。これによりヒンジ装置１４は、筐体１２Ａ，１２Ｂ間が折曲中心Ｏを中心に折り畳まれると、各アーム１４ｃ，１４ｄが回動し、これにより筐体１２Ａ，１２Ｂ間を回動させる。ヒンジ装置１４の構成は適宜変更可能である。
【００２３】
筐体１２Ａ，１２Ｂは、図１に示す収納形態において、一縁部１２Ａａ，１２Ｂａ間が大きく離間する。そこで、一縁部１２Ａａ，１２Ｂａの境界部は、背表紙部材１８によって覆われている。背表紙部材１８は、例えば蛇腹形状のシート状部材であり、筐体１２Ａ，１２Ｂの内面１２Ａｂ，１２Ｂｂに取り付けられている。
【００２４】
図３Ａ〜図３Ｅは、携帯用情報機器１０の回動動作を模式的に示す側面断面図である。図３Ａは、収納形態での状態を示している。図３Ｅは、使用形態での状態を示している。図３Ｂ〜図３Ｄは、収納形態と使用形態との間の状態を示している。図３Ａ〜図３Ｅは、ディスプレイ部１６の断面ハッチングを省略すると共に、ヒンジ装置１４等の図示を省略している。
【００２５】
図２〜図３Ｅに示すように、ディスプレイ部１６は、液晶表示部であるディスプレイ２０と、ディスプレイ２０を支持する第１支持プレート２２Ａ及び第２支持プレート２２Ｂとを有する。ディスプレイ部１６は、筐体１２Ａ，１２Ｂの内面１２Ａｂ，１２Ｂｂ間に亘るように設けられている。ディスプレイ部１６は、第１筐体１２Ａ側の部分が第１筐体１２Ａに対してスライド可能に支持され、第２筐体１２Ｂ側の部分が第２筐体１２Ｂに対して固定されている。ディスプレイ部１６のスライド構造は、詳細は後述する。
【００２６】
ディスプレイ２０は、例えばタッチパネル式の液晶ディスプレイである。ディスプレイ部１６は、例えば柔軟性の高いペーパー構造を持った有機ＥＬ等のフレキシブルディスプレイである。ディスプレイ２０は、第１筐体１２Ａと第２筐体１２Ｂとに亘って設けられ、筐体１２Ａ，１２Ｂの開閉動作に伴って折り曲げられる。ディスプレイ２０は、第１筐体１２Ａ側の領域の裏面２０ａが第１支持プレート２２Ａの上面で支持されている。ディスプレイ２０は、第２筐体１２Ｂ側の領域の裏面２０ｂが第２支持プレート２２Ｂの上面で支持されている。ディスプレイ２０の裏面２０ａ，２０ｂには、その折曲動作を補助するための薄い金属シート、例えばステンレスシートが貼り付けられている。
【００２７】
支持プレート２２Ａ，２２Ｂは、それぞれ矩形状に形成された薄いプレート部材である。第１支持プレート２２Ａは、第１筐体１２Ａに対してＸ方向にスライド可能に支持されているが、詳細は後述する。第２支持プレート２２Ｂは、第２筐体１２Ｂと固定されている。第２支持プレート２２Ｂは、例えばＹ方向両側にあり、Ｘ方向に沿って延びた各縁部１６ｂからそれぞれ突出した１又は複数の取付片２４を有する（図２参照）。各取付片２４は、第２筐体１２Ｂの内面１２Ｂｂから突出したボス部（図示せず）に対して、ねじ２５を用いて固定されている。ディスプレイ２０は、支持プレート２２Ａ，２２Ｂの上面に両面テープ等を用いて固定されている。
【００２８】
ディスプレイ部１６は、ヒンジ装置１４と重なる位置でＹ方向に延びた帯状の領域が、筐体１２Ａ，１２Ｂ間の回動に応じて折り曲げられる折曲領域１６ａとなる（図２中の１点鎖線参照）。折曲領域１６ａでは、ディスプレイ２０が支持プレート２２Ａ，２２Ｂに対して固定されておらず、相対移動可能な状態にある（図３Ａ〜図３Ｅ参照）。また、折曲領域１６ａでは、支持プレート２２Ａ，２２Ｂの互いに隣接する内端面２２Ａａ，２２Ｂａが筐体１２Ａ，１２Ｂの回動状態に応じて接離する。
【００２９】
なお、図２中に２点鎖線で示す参照符号２６は、ベゼル部材である。ベゼル部材２６は、可撓性を持った枠状のシート状部材である。ベゼル部材２６は、例えばディスプレイ部１６のＸ方向に沿った各縁部１６ｂのそれぞれに沿って設けられている。ベゼル部材２６は、ディスプレイ部１６の表面の表示領域（アクティブ領域）を除く縁部の非表示領域（非アクティブ領域）を覆っている。ベゼル部材２６は、側板１７と、ディスプレイ部１６の表面の縁部とに跨るように取り付けられている。ベゼル部材２６は、さらに、ディスプレイ部１６の第２筐体１２Ｂ側でＹ方向に沿って延びた縁部１６ｃに沿うように設けてもよい。
【００３０】
各筐体１２Ａ，１２Ｂ内には、例えば各種半導体チップ等を実装した基板、バッテリ装置、アンテナ装置の各種電子部品の他、冷却装置等も収容されている。これらの電子部品等は、内面１２Ａｂ，１２Ｂｂと支持プレート２２Ａ，２２Ｂとの間に形成された空間に収容されている。第１筐体１２Ａには、さらに機能部２８が搭載されている。
【００３１】
次に、ディスプレイ部１６の第１筐体１２Ａ側の部分を第１筐体１２Ａに対してスライド可能に支持する構成を説明する。図４Ａは、図２中のＩＶＡ−ＩＶＡ線に沿う模式的な断面図である。図４Ｂは、図４Ａに示す部分の平面図である。
【００３２】
図２、図４Ａ及び図４Ｂに示すように、ディスプレイ部１６は、Ｘ方向に沿う各縁部１６ｂから突出した一対の支持片２９，２９を備える。また、第１筐体１２Ａは、各支持片２９をスライド可能に支持する一対のスライド支持部３０，３０を備える。
【００３３】
各支持片２９は、第１支持プレート２２ＡにおけるＹ方向両側の縁部（第２縁部）１６ｂのそれぞれから突出した板片である。支持片２９には、Ｘ方向に延びた長孔２９ａが形成されている。
【００３４】
各スライド支持部３０は、摺動面３０ａと、ガイド部材３０ｂとを有する。摺動面３０ａは、支持片２９と対向する側板１７の内側面に設けられた段部の上面である。摺動面３０ａには、支持片２９がＸ方向に沿って摺動可能な状態で載置される。ガイド部材３０ｂは、摺動面３０ａから上方に突出するように設けられた棒状部材であり、例えばねじやシャフトである。本実施形態のガイド部材３０ｂは、ねじである。ガイド部材３０ｂは、摺動面３０ａに形成されたねじ穴３０ｃに螺合して固定される。ガイド部材３０ｂは、支持片２９の長孔２９ａをＸ方向に相対移動可能に挿通している。ガイド部材３０ｂは、長孔２９ａに対するＸ方向の相対移動可能な距離が、ディスプレイ部１６のスライド量以上に設定されている。
【００３５】
従って、ディスプレイ部１６は、ガイド部材３０ｂによる支持片２９のガイド作用下に、第１筐体１２Ａに対してＸ方向に相対的にスライド可能である。支持片２９及びスライド支持部３０は、Ｙ方向で一方の縁部１６ｂのみに設けられてもよいし、Ｘ方向で複数が並設されてもよい。
【００３６】
次に、機能部２８の構成例を説明する。
【００３７】
図２〜図３Ｅに示すように、機能部２８は、第１筐体１２Ａの一縁部１２Ａａとは反対側の他縁部１２Ａｃを構成する側板１７の内側に設けられ、他縁部１２Ａｃに沿って延在している。機能部２８は、第１筐体１２Ａの内面１２Ａｂに設けられ、側板１７に沿って延在した溝部３２を有する。溝部３２の開口部３２ａは、上方に開口している。
【００３８】
溝部３２は、開口部３２ａを介してペン型入力装置３４を出し入れできる。ペン型入力装置３４は、例えばディスプレイ２０に対するタッチ操作に利用可能なスタイラス（デジタイザペン）と呼ばれる入力手段である。図３Ａに示すように、機能部２８は、例えば溝部３２の底面に通電端子３６を有する。通電端子３６は、溝部３２に収納されたペン型入力装置３４の端子板３７と接続され、ペン型入力装置３４の充電が可能となっている。このように、機能部２８は、溝部３２を備えることで、ペン型入力装置３４の収納部や充電部として機能する。
【００３９】
次に、図３Ａ〜図３Ｅを参照して、当該携帯用情報機器１０を使用形態から収納形態まで回動させる動作と、その際の機能部２８の状態とを説明する。以下では、説明の便宜上、図３Ａに示す収納形態を０度姿勢と呼び、図３Ｅに示す使用形態を１８０度姿勢と呼び、その間の角度姿勢である図３Ｂ、図３Ｃ、図３Ｄに示す状態をそれぞれ４５度姿勢、９０度姿勢、１３５度姿勢と呼んで説明する。
【００４０】
先ず、図３Ａに示すように、携帯用情報機器１０が収納形態にある状態を説明する。この状態では、筐体１２Ａ，１２Ｂは、ディスプレイ部１６を間に挟んで互いに対面するように配置され、互いの一縁部１２Ａａ，１２Ｂａ間が離間している。ディスプレイ部１６では、各支持プレート２２Ａ，２２Ｂが各筐体１２Ａ，１２Ｂと同じく互いに対面するように配置されている。一方、ディスプレイ２０は、折曲領域１６ａが所定の曲率で折り曲げられ、略Ｕ字状を成している。
【００４１】
この収納形態では、ディスプレイ部１６は、第１支持プレート２２Ａ及びこれに支持されたディスプレイ２０が最も他縁部１２Ａｃ側にスライドした前進位置にある。この前進位置では、ディスプレイ部１６は、溝部３２の開口部３２ａの上方をＸ方向に横切った状態にある。そして、ディスプレイ部１６は、先端の縁部（第１縁部）１６ｄが他縁部１２Ａｃの側板１７に形成された段部１７ａに支持されている。
【００４２】
従って、このような収納形態では、機能部２８は、ディスプレイ部１６（及び第２筐体１２Ｂ）によって閉じされ、ペン型入力装置３４にアクセス不能な状態となっている。換言すれば、機能部２８は、ディスプレイ部１６の縁部１６ｄで蓋され、溝部３２からのペン型入力装置３４の脱落が防止されている。つまり収納形態時に必要のないペン型入力装置３４は、機能部２８の溝部３２内で安定して保管されている。
【００４３】
次に、携帯用情報機器１０を使用形態から収納形態に折り畳む場合、ディスプレイ部１６は、第２筐体１２Ｂ側の部分が第２筐体１２Ｂと固定されているため、折曲動作で生じる周長差によって第１筐体１２Ａ側の部分がスライドする。具体的には、ディスプレイ部１６は、第１筐体１２Ａ側の縁部１６ｄが第２筐体１２Ｂに向かう方向にスライドする。例えば、携帯用情報機器１０が図３Ｂに示す４５度姿勢になると、ディスプレイ部１６は、縁部１６ｄが段部１７ａから離間し、その端面がＸ方向で溝部３２の略中央に配置される。
【００４４】
図３Ｃに示す９０度姿勢では、ディスプレイ部１６の縁部１６ｄは、溝部３２の側板１７側とは逆側の壁面を形成する壁部３２ｂ上に位置する。このため、溝部３２は、開口部３２ａが完全に開かれた状態となる。また、図３Ｄに示す１３５度姿勢では、ディスプレイ部１６の縁部１６ｄは、さらに開口部３２ａから退動した位置になる。このため、当該携帯用情報機器１０は、例えばノート型ＰＣとしての使用が想定される９０度姿勢以上の角度姿勢では、機能部２８が開かれてペン型入力装置３４にアクセス可能な状態となる。その結果、ユーザは、ペン型入力装置３４を利用した入力操作を行うことができる。
【００４５】
そして、図３Ｅに示す使用形態では、ディスプレイ部１６は、縁部１６ｄが壁部３２ｂ上に位置し、機能部２８へのアクセスは依然として可能な状態にある。このため、ユーザは、タブレット型ＰＣとしての使用が想定される１８０度姿勢においても、ペン型入力装置３４を利用した入力操作行うことができる。なお、この状態では、ディスプレイ部１６は、支持プレート２２Ａ，２２Ｂの内端面２２Ａａ，２２Ｂａの端面同士が当接して１枚の平板を形成し、ディスプレイ２０もその上面で一枚の平板状を成した状態となる。このため、ディスプレイ部１６は、一枚板状の大画面を形成し、また、ペン型入力装置３４等でのタッチ操作時の安定性も確保される。なお、機能部２８は、少なくとも使用形態時にアクセス可能であればよく、それより小さい角度姿勢ではディスプレイ部１６によって一部又は全部が覆われたままになる構成としてもよい。
【００４６】
図３Ｅに示す使用形態から図３Ａに示す収納形態への回動動作は、上記した動作と逆の動作となる。このため、ディスプレイ部１６は、当該携帯用情報機器１０が使用形態から収納形態に向かって次第に閉じられるのに従って、縁部１６ｄが他縁部１２Ａｃ側へと前進することになる。
【００４７】
図５Ａは、変形例に係るスライド支持部４０を備えた構成での要部拡大断面図である。図５Ｂは、図５Ａに示す部分を上方から見た斜視図である。
【００４８】
図５Ａ及び図５Ｂに示すスライド支持部４０は、図４Ａ及び図４Ｂに示すスライド支持部３０とその構成が異なる。スライド支持部４０は、第１筐体１２ＡのＸ方向に沿うＹ方向両側の側板１７のそれぞれの内側面にＸ方向に延在するガイド溝４０ａを有する。一方、ディスプレイ部１６は、第１支持プレート２２Ａに各縁部１６ｂから突出した支持縁部４２が形成されている。支持縁部４２は、第１支持プレート２２ＡのＸ方向全長に亘って設けられてもよいし、上記した支持片２９と同様に一部のみに設けられてもよい。支持縁部４２は、ガイド溝４０ａに対してＸ方向に摺動可能に挿入されている。
【００４９】
従って、このようなスライド支持部４０を用いた構成においても、ディスプレイ部１６の第１筐体１２Ａ側の部分の円滑なスライドが可能となる。ディスプレイ部１６のスライド構造は、スライド支持部３０，４０と異なる構成であってもよい。
【００５０】
図６は、変形例に係る機能部４４を備えた構成での使用形態における内部構造を模式的に示す要部拡大平面図である。
【００５１】
上記した機能部２８は、ペン型入力装置３４の収納部として機能する溝部３２を有するであって。これに対して、図６に示す機能部４４は、接続ポート４５、カメラ４６、操作ボタン４７等の各種の電子デバイスを備えた構成である。接続ポート４５は、例えばＵＳＢ規格に準拠した雌コネクタ等であり、１又は複数設けられる。カメラ４６は、映像を撮像可能なカメラや赤外線カメラ等である。操作ボタン４７は、例えば音量ボタンや各種機能ボタンであり、１又は複数設けられる。機能部４４は、例えば上記した機能部２８と併用し、両者をＹ方向に並べて搭載してもよい。このような機能部４４についても、その使用が必要となる使用形態でディスプレイ部１６が開かれてアクセス可能となり、収納形態ではディスプレイ部１６が閉じられてアクセス不能となる。機能部４４は、接続ポート４５、カメラ４６及び操作ボタン４７のうちのいずれか１つ又は複数を有する。機能部４４は、これら接続ポート４５等と共に、又はこれらと代えて別の電子デバイスを有する構成としてもよい。
【００５２】
以上のように、本実施形態の携帯用情報機器１０は、第１筐体１２Ａに対してはＸ方向にスライド可能に支持され、第２筐体１２Ｂに対しては固定されたディスプレイ部１６を備える。第１筐体１２Ａは、ディスプレイ部１６がスライドした場合にその縁部１６ｄによって開閉される機能部２８（４４）を有する。そして、機能部２８（４４）は、少なくとも収納形態ではアクセス不能な状態となり、少なくとも使用形態ではアクセス可能な状態となる。
【００５３】
すなわち、当該携帯用情報機器１０は、その折曲時の周長差を吸収するために、ディスプレイ部１６を第１筐体１２Ａに対してスライド可能に支持している。このため、ディスプレイ部１６の第１筐体１２Ａ側の縁部１６ｄは、Ｘ方向にスライドするため、その下方がデッドスペースとなる。そこで、当該携帯用情報機器１０は、このデッドスペースを利用して機能部２８（４４）を設置している。このため、当該携帯用情報機器１０は、ペン型入力装置３４の収納用の溝部３２や接続ポート４６等の設置スペースを確保しつつ、必要な際にはこれらの使用が可能となり、また、これらが筐体１２Ａ，１２Ｂの小型化や薄型化を妨げることが抑制されている。
【００５４】
このように、機能部２８（４４）は、少なくとも収納形態時にはアクセスできなくても、少なくとも使用形態時にアクセスできればよい機能であればよく、例えばペン型入力装置３４の収納用の溝部３２や接続ポート４６等以外であってもよい。
【００５５】
当該携帯用情報機器１０のディスプレイ部１６は、液晶表示部であるディスプレイ２０と共に、その裏面２０ａ，２０ｂを支持する支持プレート２２Ａ，２２Ｂとを備える。このため、ディスプレイ部１６は、硬質な支持プレート２２Ａ，２２Ｂがスライド支持部３０（４０）で支持されることで、安定し且つ円滑なスライド動作が可能となる。一方、大きな外力を付与することが好ましくないディスプレイ２０は、硬質な支持プレート２２Ａ，２２Ｂで支持されることで、スライド動作時の負荷をほとんど受けることがなく、その不具合の発生が抑制されている。ディスプレイ部１６は、第１筐体１２Ａに対するスライド構造を構成可能であれば、支持プレート２２Ａ，２２Ｂを省略してもよい。また、ディスプレイ部１６は、ディスプレイ２０を第１支持プレート２２Ａに対してスライド可能に構成してもよい。
【００５６】
なお、本発明は、上記した実施形態に限定されるものではなく、本発明の主旨を逸脱しない範囲で自由に変更できることは勿論である。
【００５７】
上記では、本のように二つ折りに折り畳み可能な携帯用情報機器１０を例示したが、本発明は、同形の筐体同士を二つ折りに折り畳む構成以外、例えば大形の筐体の左右縁部にそれぞれ小形の筐体を折り畳み可能に連結した観音開きの構成、１つの筐体の左右縁部にそれぞれ折り畳み方向の異なる筐体を連結したＳ型の折り畳み構成、大形の筐体の左右一方の縁部に小形の筐体を折り畳み可能に連結したＪ型の折り畳み構成等、各種構成に適用可能であり、筐体の連結数は４以上としてもよい。
【符号の説明】
【００５８】
１０  携帯用情報機器
１２Ａ  第１筐体
１２Ｂ  第２筐体
１４  ヒンジ装置
１６  ディスプレイ部
２２Ａ  第１支持プレート
２２Ｂ  第２支持プレート
２８，４４  機能部
３０，４０  スライド支持部
３２  溝部
３４  ペン型入力装置
４５  接続ポート
４６  カメラ
４７  操作ボタン
【要約】
【課題】機能部の設置スペースを確保することができる携帯用情報機器を提供する。
【解決手段】携帯用情報機器１０は、第１筐体１２Ａと、第１筐体１２Ａに対して相対的に回動可能に連結された第２筐体１２Ｂと、第１筐体１２Ａと第２筐体１２Ｂとに亘って設けられ、折曲領域１６ａを有するディスプレイ部１６と、を備える。ディスプレイ部１６は、第１筐体１２Ａに対してはスライド可能に支持され、第２筐体１２Ｂに対しては固定されている。第１筐体１２Ａは、ディスプレイ部１６がスライドした場合にその縁部１６ｄによって開閉される機能部２８を有する。携帯用情報機器１０は、少なくとも第１筐体１２Ａと第２筐体１２Ｂとの間をそれぞれが略同一平面上にある使用形態とした場合には、ディスプレイ部１６が収納形態での位置から第２筐体１２Ｂ側へとスライドした位置になって縁部１６ｄが機能部２８を開くことで、機能部２８にアクセス可能な状態となる。
【選択図】図３Ｅ【図１】
0006793234.tif 000002
【図２】
0006793234.tif 000003
【図３Ａ】
0006793234.tif 000004
【図３Ｂ】
0006793234.tif 000005
【図３Ｃ】
0006793234.tif 000006
【図３Ｄ】
0006793234.tif 000007
【図３Ｅ】
0006793234.tif 000008
【図４Ａ】
0006793234.tif 000009
【図４Ｂ】
0006793234.tif 000010
【図５Ａ】
0006793234.tif 000011
【図５Ｂ】
0006793234.tif 000012
【図６】
0006793234.tif 000013